(57)【要約】【課題】廃棄時にカバー部を作業性良く容易に開かせ、内側の電線付き端子を容易に取り出せるようにする。【解決手段】電線付き端子３５を収容する合成樹脂製の固定カバー部２と、固定カバーに開閉自在に組み付けられる合成樹脂製の可動カバー部３と、可動カバー部を閉じ方向に付勢するばね部材８とで構成され、固定カバー部と可動カバー部との何れか一方がヒンジ軸４とヒンジ軸に続く一方の摘み部５とを有し、何れか他方が、ヒンジ軸に係合する軸受６と軸受に続く他方の摘み部７とを有し、両摘み部の摘み操作でばね部材の付勢力に抗して可動カバー部を開き可能である易解体式端子カバー１を採用する。ばね部材８が一方の摘み部５に装着されて他方の摘み部７を可動カバー部閉じ方向に付勢する。【選択図】図１
2012084381.tif 000002
【特許請求の範囲】
【請求項１】
電線付き端子を収容する合成樹脂製の固定カバー部と、該固定カバーに開閉自在に組み付けられる合成樹脂製の可動カバー部と、該可動カバー部を閉じ方向に付勢するばね部材とで構成され、該固定カバー部と該可動カバー部との何れか一方がヒンジ軸と該ヒンジ軸に続く一方の摘み部とを有し、何れか他方が、該ヒンジ軸に係合する軸受と該軸受に続く他方の摘み部とを有し、両摘み部の摘み操作で該ばね部材の付勢力に抗して該可動カバー部を開き可能であることを特徴とする易解体式端子カバー。
【請求項２】
前記ばね部材が前記一方の摘み部に装着されて前記他方の摘み部を可動カバー部閉じ方向に付勢することを特徴とする請求項１記載の易解体式端子カバー。
【請求項３】
前記固定カバー部と前記可動カバー部とが前記電線付き端子の下部を支持する鍔部を有し、該鍔部の前端に後退時の該電線付き端子の下向きの一対の突片が当接可能であることを特徴とする請求項１又は２記載の易解体式端子カバー。
【発明の詳細な説明】
【技術分野】
【０００１】
本発明は、係止手段に依らずに合体分離可能で、内側に収容した電線付き端子を容易に取り外し可能な易解体式端子カバーに関するものである。
【背景技術】
【０００２】
従来、例えば自動車のエンジンルーム内のスタータやオルタネータ、ジェネレータ等といった機器のボルト型端子に電線付きの丸型板端子（ＬＡ端子）をナット締めで接続した状態で、丸型板端子を外部から絶縁保護するための絶縁樹脂製の端子カバーとして、種々の形態のものが提案されている（例えば特許文献１，２参照）。
【０００３】
図５（ａ）は、これらに類似する端子カバー７１の一形態を示すものであり、絶縁樹脂製の下側のベース部７２と、ベース部７２にヒンジ７４で開閉自在に連結された上側のカバー部７３とで構成されている。
【０００４】
カバー部７３を開けた状態で、ベース部７２の内側に電線付きの丸型板端子７５が収容され、ベース部７２の底部開口から不図示の機器側のボルト型端子が端子７５の孔部７６に挿入され、端子７５がナット締めでボルト型端子に接続固定され、カバー部７３を閉めると同時に、図５（ｂ）の如く、カバー部７３の可撓性の枠片７７がベース部７２の側壁の突起７８に係合して、カバー部７３がベース部７２に係止固定される。
【０００５】
端子カバー７１付きの電線７９は他の電線等（図示せず）と共にワイヤハーネス（組電線）を構成する。電線７９は端子７５に圧着接続され、電線７９の芯線部（導体部）が端子７５の前側の一対の圧着片８０に圧着接続され、電線７９の絶縁被覆が端子７５の後側の幅狭な一対の圧着片８１に圧着固定されている。
【先行技術文献】
【特許文献】
【０００６】
【特許文献１】特開平６−２６７６００号公報
【特許文献２】特開２００６−３２４０６９号公報
【発明の概要】
【発明が解決しようとする課題】
【０００７】
しかしながら、上記従来の端子カバー７１にあっては、ワイヤハーネスの廃棄時にリサイクルを行うべく、合成樹脂製の端子カバー７１のカバー部７３を開いて、内部の金属製の電線付き端子７５を取り出す際に、カバー部７３の係止（枠片７７と突起７８との係合ロック）を解除する作業（マイナスドライバ等の工具で枠片７７を外向きに撓ませる作業）が面倒で、リサイクルのための作業性が悪いという問題があった。
【０００８】
本発明は、上記した点に鑑み、廃棄時にカバー部を作業性良く容易に開くことができ、内側の電線付き端子を容易に取り出すことのできる易解体式端子カバーを提供することを目的とする。
【課題を解決するための手段】
【０００９】
上記目的を達成するために、本発明の請求項１に係る易解体式端子カバーは、電線付き端子を収容する合成樹脂製の固定カバー部と、該固定カバーに開閉自在に組み付けられる合成樹脂製の可動カバー部と、該可動カバー部を閉じ方向に付勢するばね部材とで構成され、該固定カバー部と該可動カバー部との何れか一方がヒンジ軸と該ヒンジ軸に続く一方の摘み部とを有し、何れか他方が、該ヒンジ軸に係合する軸受と該軸受に続く他方の摘み部とを有し、両摘み部の摘み操作で該ばね部材の付勢力に抗して該可動カバー部を開き可能であることを特徴とする。
【００１０】
上記構成により、可動カバー部の組み付け前に固定カバー部内に電線付き端子が収容され、固定カバー部又は可動カバー部のヒンジ軸が可動カバー部又は固定カバー部の軸受部に回動自在に嵌合して、可動カバー部が固定カバー部に対して開閉自在となる。可動カバー部がばね部材で閉じ方向に付勢され、ばね部材の付勢力で可動カバーが閉じられ、電線付き端子が固定カバー部と可動カバー部とで囲まれて収容保持される。リサイクルに際して、ばね部材の付勢力に抗して両摘み部を摘んで可動カバーが開かれ、拡がった開口から電線付き端子が引き出される。
【００１１】
請求項２に係る易解体式端子カバーは、請求項１記載の易解体式端子カバーにおいて、前記ばね部材が前記一方の摘み部に装着されて前記他方の摘み部を可動カバー部閉じ方向に付勢することを特徴とする。
【００１２】
上記構成により、摘み部がばね部材で直接閉じ方向に付勢され、ヒンジ軸を中心に可動カバー部の開閉操作がスムーズ且つ確実に行われる。摘み部の摘み操作でばね部材が直接弾性変形される。ばね部材の配置も省スペース化される。ばね部材が金属である場合、リサイクル時に摘み部から離脱される。
【００１３】
請求項３に係る易解体式端子カバーは、請求項１又は２記載の易解体式端子カバーにおいて、前記固定カバー部と前記可動カバー部とが前記電線付き端子の下部を支持する鍔部を有し、該鍔部の前端に後退時の該電線付き端子の下向きの一対の突片が当接可能であることを特徴とする。
【００１４】
上記構成により、端子カバー内の電線付き端子（端子と言う）が端子幅方向の一対の鍔部で安定に支持され、可動カバー部を開いた際に、可動カバー部の鍔部が端子から離脱されて、端子が端子カバーから抜け出し可能となる。可動カバー部の閉止時に、端子の下向きの突片の後端が鍔部の前端に当接して、端子カバーからの端子の抜け出しが阻止され、可動カバー部の開き時に、可動カバー部の鍔部と端子の片側の突片との当接が解除されて、端子が端子カバーから抜け出し可能となる。
【発明の効果】
【００１５】
請求項１記載の発明によれば、可動カバー部を従来のような係止手段を用いずに作業者が両摘み部を摘む操作で簡単に開くことができるから、固定カバー部内の電線付き端子を容易に取り出すことができ、それによりリサイクル作業性を高めることができる。
【００１６】
請求項２記載の発明によれば、摘み部を利用してばね部材を装着配置することで、可動カバー部の開閉操作性を高めることができると共に、ばね部材の配置をコンパクトに行うことができる。
【００１７】
請求項３記載の発明によれば、端子カバーの一対の鍔部で電線付き端子を安定に支持し、且つ各鍔部と端子の各突片との当接で端子の抜け出しを阻止し、可動カバー部の開き時に可動カバー部の鍔部と突片とによる端子の支持を解除して、端子を端子カバーから簡単且つ確実に抜き出すことができる。また、これらの構成で端子カバーの構造を簡素化、低コスト化することができる。
【図面の簡単な説明】
【００１８】
【図１】本発明に係る易解体式端子カバーの一実施形態を示す分解斜視図である。
【図２】端子カバーの可動カバー部の要部を示す斜視図である。
【図３】端子カバーの可動カバー部を閉じた状態を示す背面図である。
【図４】端子カバーの可動カバー部を開いた状態を示す背面図である。
【図５】（ａ）は、従来の端子カバーの一形態を示す斜視図、（ｂ）は同じく端子カバーの係止状態を示す要部斜視図である。
【発明を実施するための形態】
【００１９】
図１〜図４は、本発明に係る易解体式端子カバーの一実施形態を示すものである。
【００２０】
この易解体式端子カバー１は、図１の如く、絶縁樹脂の固定カバー部２と、固定カバー部２の一側方に開閉自在に組み付けられる絶縁樹脂製の可動カバー部３と、固定カバー部２の上部のヒンジ軸４と、ヒンジ軸４の上側に続く外向きの摘み部５と、図２の如く、ヒンジ軸４に嵌合する可動カバー部３の軸受６と、軸受６の上側に続く外向きの摘み部７と、図３の如く、固定カバー部２の摘み部５に装着されて可動カバー部３の摘み部７を外向きにすなわち可動カバー部３の閉じ方向に付勢する金属製の板ばね状のばね部材８とを備え、図４の如く、ばね部材８の付勢に抗して両摘み部５，７を手指等で摘んで、可動カバー部３を開き可能としたものである。
【００２１】
図１の如く、固定カバー部２は、可動カバー部３を組み付ける側の前後方向に短い垂直な前半側の一側壁９と、一側壁９の上側に一側壁９と同じ長さで内向きに続く斜め上向きに傾斜した前半側の一方（右側）の上壁１０と、一方の上壁１０の頂部から斜め下向きに続く傾斜状の前半側の他方（左側）の上壁１１と、前半側の他方の上壁１１の下側に続き、可動カバー部３を組み付ける側とは反対側の前後方向に長い他側壁１２と、他側壁１２の後半すなわち可動カバー部３に対向する側において、他側壁１２の上側に続き、且つ前半側の他方の上壁１１に続く内向きに傾斜した後半側の上壁１３と（前半と後半との上壁１１，１３の境には分割面１４があってもよい）、後半側の上壁１３に一体に続く外向きに傾斜した摘み壁（摘み部）５とを備えている。
【００２２】
さらに、固定カバー部２は、後半側の上壁１３と摘み壁５との交差部分に形成された水平な前後一対の略円柱状のヒンジ壁１５と、前後のヒンジ壁１５の間に設けられた水平なヒンジ軸４と、ヒンジ軸４の周囲において上壁１３と摘み壁５とに設けられた矩形状の開口１６と、他側壁１２の後半の下端から内向きに水平に突設された鍔壁（鍔部）１７と、一側壁９と他側壁１２と前半の左右両側の上壁１０，１１に続く垂直方向の湾曲状の前壁１８とを備えている。
【００２３】
さらに、固定カバー部２は、一側壁９の後半に続く側部開口１９と、一方の上壁１０の後半に続く上部開口２０と、他側壁１２と他方の後半の上壁１３との後端の内側に続く後部開口２１と、鍔壁１７の突出先端１７ａと左右の両側壁９，１２の下端と前壁１８の下端とで囲まれた範囲の下部開口２２とを備えている。
【００２４】
前後一対のヒンジ壁１５は左右両側の外面として円弧面（符号１５で代用）を有し、軸部４はヒンジ壁部１５よりも小径に形成されている。軸部４の周囲の開口１６は軸部４の樹脂成形時の型抜き孔として、また図３のばね部材８を挿通固定させるための孔部として作用する。摘み部５は図３の如く下側の仮想点を中心として湾曲状に傾斜しつつ斜め上向きに突出している。鍔壁１７は水平な上面と傾斜状の下面とを有して、突出先端１７ａに向かうにつれて漸次厚みを薄くしたクサビ状に形成されている。固定カバー部２はベースカバー部とも呼称される。
【００２５】
図１の如く、可動カバー部３は、固定カバー部２の一側壁９の後側に並列に位置する垂直な（閉じ時に垂直な）側壁２３と、側壁２３の下端から内向きに突出した鍔壁（鍔部）２４と、側壁２３の上側に内向きに続く斜め上向きの上壁２５と、図２の如く、上壁２５に続いて立ち上げられ、固定カバー部２の前後の円柱状のヒンジ壁１５に沿って外向きに円弧状に湾曲した前後一対の受け壁２６と、前後の受け壁２６の間で上壁２５に続いた軸受６と、前後の受け壁２６と中間の軸受６とに続き、外向きに且つ斜め上向きに湾曲状に突出した摘み部７とを備えている。
【００２６】
図３の如く、鍔壁２４は固定カバー部２の鍔壁１７と同様の形状で左右対称に位置する。摘み部７は固定カバー部２の摘み部５と左右略対称に位置する。図２の如く、軸受６は水平な円筒状の壁部２７の内側中心に水平な断面略円形の溝部２８を有し、溝部２８は、円筒状の壁部２７の斜め下向きのスリット状の切欠開口２９で外部に開放されている。切欠開口２９は外側に向かうにつれてテーパ状に拡開され、固定カバー部２の軸部４（図１）に対するガイド面として作用する。軸部４を嵌合させる溝部２８は軸部４の外径と同程度の内径を有し、切欠開口２９は軸部４の外径よりも狭い幅部分２９ａで溝部２８に続いている。
【００２７】
円筒状の壁部２７の外側部分２７ａの下端２５ａが上壁２５に続き、内側部分２７ｂの下端が切欠開口２９に続いて、内側部分２７ｂは径方向の可撓性を有している。軸部４は円筒状の壁部２７の内側部分２７ｂを外向きに撓ませつつ溝部２８に進入係合し、内側部分２７ｂは弾性的に復帰して軸部４を切欠開口２８から抜け出しなく周方向回動自在に保持する。円筒状の壁部２７の上部が円筒状の壁部２７と同じ幅の板状の摘み基部７ａに続いている。円筒状の壁部２７は固定カバー部２（図１）の円柱状のヒンジ壁１５と同程度の外径を有している。円筒状の壁部２７と前後の円弧状の受け壁１５（図１）とは縦方向の円弧状のスリット３０で分離されている。
【００２８】
図３の如く、ばね部材８は、軸受６（図２）の内側部分２７ｂの外周面に沿う湾曲部３１と、湾曲部３１から斜め上向きに続き、可動カバー部３の摘み部７の内面７ａに沿う（接する）傾斜部３１ａと、傾斜部３１ａの先端（上端）から下向きに湾曲して続き、固定カバー部２の摘み部５の内面５ａに沿う（接する）円弧状部３３とを備えている。湾曲部３１と傾斜部３１ａとで第一の板ばね部３１が構成され、円弧状部３３で第二の板ばね部が構成される。第二の板ばね部３３は第一の板ばね部３１の前後に一対設けられることが好ましい。
【００２９】
ばね部材８の湾曲部３１は固定カバー部２の開口１６（図１）の上部を上から下に貫通し、湾曲部３１の下端３１ｂが上壁１３の上面に当接し、傾斜部３１ａが可動カバー部３の摘み部７の上面７ａに弾性的に当接し、円弧状部３３の下面が両摘み部５，７の上面５ａ，７ａに弾性的に当接し、固定カバー部２の摘み部５に対して可動カバー部３の摘み部７を図３で時計回りに弾性付勢し、固定カバー部２に対して可動カバー部３を閉じ方向に弾性付勢する。これにより、可動カバー３が閉止される。図２のヒンジ軸４（軸受６）を支点に可動カバー３が図３で時計回りにばね付勢されつつ、下側の鍔壁２４が固定カバー部２の鍔壁１７と共に端子カバー１内の電線３４付きの端子３５の下端３５ａを支持する。
【００３０】
図１の如く、電線３４付きの端子３５は、中心に円孔（図示せず）を有する丸型板状の電気接触部３６を前半に有し、電線接続部としての電線圧着部３７，３８を後半に有するＬＡ端子である。電線接続部は前側の左右一対の芯線圧着片３７と後側の左右一対の絶縁被覆圧着片３８と、前後の圧着片３７，３８を連結する水平な基板部３９とで成る。図では絶縁被覆圧着片３８の下端３５ａを水平面で示しているが、実際には少し湾曲した面となる。
【００３１】
本例で端子カバー１の左右の鍔壁１７，２４は絶縁被覆圧着片３８の下端３５ａを支持している。図３の如く、鍔壁１７，２４の突出長さは、側壁１２，２３の内面と絶縁被覆圧着片３８の外面との間の隙間４０の二倍（左右両側の隙間４０の総計）ないしそれ以上である。鍔壁１７，２４で絶縁被覆圧着片３８と芯線圧着片３７（図１）との両方、又は両圧着片３７，３８を突出させた端子３５の水平な基板部３９を支持するようにすることも可能である。
【００３２】
図１の如く、本例の電気接触部３６は左右両側に一対の下向きの突片４１を有している。突片４１は端子カバー１の下端（下部開口２２）から下方に突出し、例えば機器側の接続部（図示せず）に対する位置決め部として作用する。各突片４１の後端４１ａと各鍔壁１７，２４の前端１７ｂ，２４ｂとの間には少しの距離（隙間）があいている。電線３４は絶縁被覆電線であり、端子カバー１の後部開口２１から導出される。
【００３３】
電線付きの端子３５は、可動カバー部３を開けた状態で後部開口２１と側部開口１９とから固定カバー部２内に挿入セットされ、少なくとも固定カバー部２の鍔壁１７で支持された状態で、可動カバー部３が固定カバー部２に装着されて（組み付けられて）、両カバー部２，３の鍔壁１７，２４で支持される。図示はしていないが、固定カバー部２の両側壁９，１２及び又は前壁１８に、電気接触部３６を支持する鍔部を設けることも可能である。図３で符号１８ａは前壁１８の下端又は前壁１８の鍔部の下端を示している。
【００３４】
可動カバー部３を装着する前に、固定カバー部２の側部開口１９から不図示の工具を入れて端子３５の電気接触部３６に不図示の相手側機器のボルト型端子をナットで締付接続させる。この際、例えば固定カバー部２を端子３５に沿って前進（移動）させることで、側部開口１９に端子３５の電気接触部３６が位置して、ねじ閉め作業が容易化される。端子３５の前進動作は鍔壁１７の前端１７ｂが突片４１の後端４１ａに当接するまで行われる。
【００３５】
ナットの締付後に固定カバー部２を図１の位置に後退（復帰）させ、図３の如く可動カバー部３の組み付けを行う。固定カバー部２の前壁１８の内面が端子３５の電気接触部３６（図１）の前端に当接して、それ以上の端子カバー１の後退が阻止され、各鍔壁１７，２４の前端１７ｂ，２４ｂ（図１）が端子３５の各突片４１の後端４１ａに当接して、それ以上の端子カバー１の前進が阻止される。
【００３６】
図４の如く、ワイヤハーネスの廃棄時のリサイクルに際しては、両カバー部２，３の摘み部５，７を手指等で摘んで、ばね部材８の付勢力に抗して可動カバー部３を矢印Ａ，Ｂのように開き、その状態で電線３４を後方に引っ張って端子３５を端子カバー１から外側に引き出す。すなわち、図４の如く可動カバー部３を少し開くことで、可動カバー部３の鍔壁２４が端子３５から離脱して、端子３５が一側方の支持を失う（端子３５が固定カバー部２の鍔壁２７のみで支持される）から、電線３４を斜め後方（右寄り）に引っ張ることで、端子３５が端子カバー１の後部開口２１と少し開いた側部開口１９とから斜め方向に容易に引き出される。
【００３７】
端子３５を引き出した後、金属製のばね部材８を引き上げて、あるいは可動カバー部３を図４の状態から手指等でさらに上向きに開いて、ばね部材８を強制的に合成樹脂製の端子カバー本体（固定カバー部２と可動カバー部３とで成る）から離脱させる。これにより、金属材料と合成樹脂材料とが簡単に且つ確実に分離され、リサイクルのための作業性が高まる。可動カバー部３は力を入れて外向きに引っ張ることで、ヒンジ軸４（図１）から軸受６が外れて、固定カバー部２から容易に分離される。
【００３８】
図４において、軸部４（図１）の外周面に沿って軸受６の溝部２８の内周面が周方向に摺接すると同時に、円弧状の前後の受け壁２６の内面が円柱状のヒンジ壁１５の外周面に沿って摺接して、ヒンジ軸４と軸受６との摺動すなわち可動カバー部３の回動をばね部材８の付勢に抗してスムーズ且つ確実に行わせる。図４において、ばね部材８の第二の板ばね部である円弧状部３３は摘み部７で矢印Ａ方向に押圧されて、図３におけるよりも小径に屈曲し、第一の板ばね部である下半の湾曲部３１は図３におけるよりも大径に伸長する。
【００３９】
なお、上記実施形態においては、固定カバー部２にヒンジ軸４を設け、可動カバー部３に軸受６を設けたが、例えば可動カバー部３にヒンジ軸４とその前後の円柱状のヒンジ壁１５とヒンジ軸４の周囲（上下）の開口１６とを設け、固定カバー部２に軸受６とその前後の円弧状の受け壁２６とを設けることも可能である。
【００４０】
また、上記実施形態においては、金属製のばね部材８を用いたが、金属製のばね部材８に代えて例えば硬質で高弾性の合成樹脂製のばね部材８を用いることも可能である。また、上記実施形態においては、ばね部材８を第一と第二の板ばね部３１，３３で構成し、第一の板ばね部３１を摘み部５の開口１６に貫通させたが、例えば、ばね部材（図示せず）を、固定カバー部２の摘み部５に挟持固定される略コの字状の固定部と、固定部に続いて図３の下向きの円弧状部３３のように湾曲し、可動カバー部３の摘み部７を可動カバー部閉じ方向に付勢する付勢部とで構成することも可能である。
【００４１】
また、ばね部材（図示せず）を、ヒンジ軸４の端部に係合する環状部と、環状部から斜め右上に突出して可動カバー部３の摘み部７を閉じ方向に付勢する一方の杆部と、環状部から斜め左上に突出して固定カバー部２の摘み部５の内面に当接する他方の杆部とで成る捩り巻きばねで構成することも可能である。
【００４２】
また、上記実施形態においては、ＬＡ端子３５を用いたが、端子として、丸型板状の電気接触部３６の中央に下向きのボルト部（図示せず）を突設させたものを使用し、端子カバー１の下側で相手側のバスバー等の端子の孔部にボルト部を挿入してナット締めすることも可能である。
【００４３】
また、本発明は、易解体式端子カバー１としてのみならず、易解体式端子カバー１を用いた電線付き端子３５の取り出し方法ないし着脱方法等としても有効なものである。
【産業上の利用可能性】
【００４４】
本発明に係る易解体式端子カバーは、内側に収容した電線付き端子を廃棄時に容易に分離してリサイクル性を高めるために利用することができる。
【符号の説明】
【００４５】
１          端子カバー
２          固定カバー部
３          可動カバー部
４          ヒンジ軸
５          摘み部
６          軸受
７          摘み部
８          ばね部材
１７，２４  鍔壁（鍔部）
３５        電線付き端子
４１        突片
【図１】
2012084381.tif 000003
【図２】
2012084381.tif 000004
【図３】
2012084381.tif 000005
【図４】
2012084381.tif 000006
【図５】
2012084381.tif 000007